(57)【要約】【課題】消耗品無しエラーで中断している出力の内、未出力分を消耗品無しで続行することができるようにする画像形成装置を提供する。【解決手段】インサートユニットからインサート用紙を供給してインサート処理を行う最中にインサート用紙が不足した場合に、補給用のインサート用紙の在庫が無い等の理由でインサート用紙の補給ができない場合でも、未出力分は代替用紙を用いて続行する。【選択図】  図４
2005059983.tif 000002
【特許請求の範囲】
【請求項１】
消耗品を用いて後処理を行う画像形成装置であって、
消耗品の残量を検知して、消耗品無しエラーを発生させる手段と、
消耗品無しエラー発生時に、ユーザーに消耗品の補給を促すメッセージを表示する手段と、
消耗品無しエラー発生時に、ジョブの残りの出力をキャンセルする手段と、
消耗品無しエラー発生時に、ジョブの残りの出力を消耗品無しで続行する手段と、
を有することを特徴とする画像形成装置。
【請求項２】
ユーザーの消耗品無しエラーからの復帰を、ジョブの残りの出力をキャンセルするか、又はジョブの残りの出力を消耗品無しで続行するか選択可能とする手段を有することを特徴とする請求項１に記載の画像形成装置。
【請求項３】
インサート機能付き画像形成装置であって、
インサート用紙の残量を検知して、インサート用紙無しエラーを発生させる手段と、
インサート用紙無しエラー発生時に、ユーザーにインサート用紙の補給を促すメッセージを表示する手段と、
インサート用紙無しエラー発生時に、ジョブの残りの出力をキャンセルする手段と、
インサート用紙無しエラー発生時に、ジョブの残りの出力をインサート用紙無しで続行する手段と、
を有することを特徴とする画像形成装置。
【請求項４】
ユーザーのインサート用紙無しエラーからの復帰を、ジョブの残りの出力をキャンセルするか、又はジョブの残りの出力をインサート用紙無しで続行するか選択可能とする手段を有することを特徴とする請求項３に記載の画像形成装置。
【請求項５】
インサート用紙無しエラー発生時に、ジョブの残りの出力をインサート用紙無しで続行する手段を選択した場合には、
インサート用紙に替えて別の給紙段から給紙した用紙に所定の印刷を行い、代替出力する手段を有することを特徴とする請求項３又は４に記載の画像形成装置。
【請求項６】
インサート用紙無しエラー発生時に、ジョブの残りの出力をインサート用紙無しで続行する手段を選択した場合には、
インサート用紙に替えて別の給紙段から給紙した用紙を、オフセットシフトして代替出力する手段を有することを特徴とする請求項３又は４に記載の画像形成装置。
【請求項７】
インサート用紙無しエラー発生時に、ジョブの残りの出力をインサート用紙無しで続行する手段を選択した場合には、
ステープル指定を自動的にオフにする手段を有することを特徴とする請求項５又は６に記載の画像形成装置。
【請求項８】
綴じ機能付き画像形成装置であって、
ステープル針の残量を検知して、ステープル針無しエラーを発生させる手段と、
ステープル針無しエラー発生時に、ユーザーにステープル針の補給を促すメッセージを表示する手段と、
ステープル針無しエラー発生時に、ジョブの残りの出力をキャンセルする手段と、
ステープル針無しエラー発生時に、ジョブの残りの出力をステープル針無しで続行する手段と、
を有することを特徴とする画像形成装置。
【請求項９】
ユーザーのステープル針無しエラーからの復帰を、ジョブの残りの出力をキャンセルするか、又はジョブの残りの出力をステープル針無しで続行するか選択可能とする手段を有することを特徴とする請求項８に記載の画像形成装置。
【請求項１０】
ステープル針無しエラー発生時に、ジョブの残りの出力をステープル針無しで続行する手段を選択した場合には、
ステープルしない紙面上に、ステープル位置マークを印刷する手段と、
ステープルされるべき束ごとに、排紙をオフセットシフトで行う手段と、
を有することを特徴とする請求項８又は９に記載の画像形成装置。
【請求項１１】
ステープル位置マークを印刷する場合には、
白紙出力されるはずであった紙面上に、ステープル位置マークを印刷するか印刷しないか選択可能とする手段を有することを特徴とする請求項１０に記載の画像形成装置。
【請求項１２】
消耗品を用いて後処理を行う画像形成装置のプログラムであって、
消耗品の残量を検知して、消耗品無しエラーを発生させる手段、
消耗品無しエラー発生時に、ユーザーに消耗品の補給を促すメッセージを表示する手段、
消耗品無しエラー発生時に、ジョブの残りの出力をキャンセルする手段、
消耗品無しエラー発生時に、ジョブの残りの出力を消耗品無しで続行する手段、
として機能させることを特徴とするプログラム。
【請求項１３】
ユーザーの消耗品無しエラーからの復帰を、ジョブの残りの出力をキャンセルするか、又はジョブの残りの出力を消耗品無しで続行するか選択可能とする手段として機能させることを特徴とする請求項１２に記載のプログラム。
【請求項１４】
消耗品を用いて後処理を行う画像形成装置のプログラムを記憶した記憶媒体であって、
消耗品の残量を検知して、消耗品無しエラーを発生させる手段、
消耗品無しエラー発生時に、ユーザーに消耗品の補給を促すメッセージを表示する手段、
消耗品無しエラー発生時に、ジョブの残りの出力をキャンセルする手段、
消耗品無しエラー発生時に、ジョブの残りの出力を消耗品無しで続行する手段、
として機能させることを特徴とするプログラムを記憶した記憶媒体。
【請求項１５】
ユーザーの消耗品無しエラーからの復帰を、ジョブの残りの出力をキャンセルするか、又はジョブの残りの出力を消耗品無しで続行するか選択可能とする手段として機能させることを特徴とする請求項１４に記載のプログラムを記憶した記憶媒体。
【発明の詳細な説明】
【０００１】
【発明の属する技術分野】
本発明は、例えば画像出力装置や印刷装置、特に、通常の画像形成部を経由する用紙搬送路とは別にインサートのための給紙手段を装備した装置や出力後の用紙に対して綴じ処理を行うことができるフィニッシャを装備した装置等の消耗品を用いて後処理を行う画像形成装置に関するものである。
【０００２】
【従来の技術】
インサート機能は高級紙や特殊印刷等を用いた高価な紙（インサート用紙）を、表紙などにする目的で利用することができる。また、綴じ機能はステープル針を用いて束ごとにステープルして製本することができる。従来、これらの機能を搭載して、インサート用紙やステープル針等の消耗品を用いてインサート処理やステープル処理等の後処理を行う画像形成装置が存在した。
【０００３】
そして、インサート機能や綴じ機能を有するフィニッシャを備えた画像形成装置を用いて、後処理を行うコピー・プリントジョブを出力している最中に後処理用の消耗品が不足した場合には、操作パネル等に消耗品無しエラーを表示すると同時に、使用者に対して消耗品補給を促すメッセージを表示していた。この段階で消耗品補給が行われれば出力は続行されていた。
【０００４】
【発明が解決しようとする課題】
しかしながら、従来技術においては出力再開するためには消耗品の補給が必須であり、補給用の消耗品の在庫がない等の理由で消耗品の補給ができない場合には、出力途中のジョブをキャンセルするしかなかった。
【０００５】
このような場合、ジョブはエラー終了するため、指定部数のうち出力できなかった部数分は、後処理を行わない新たなジョブとして再投入する必要があった。
【０００６】
本発明は上述の問題点に鑑み、消耗品無しエラーで中断している出力の内、未出力分を消耗品無しで続行することができるようにすることを目的とする。
【０００７】
また、消耗品がインサート用紙である場合には、代替用紙を用いて出力完了した後に、本来のインサート用紙に手作業で差し替え可能な形態をとることを可能にすることを目的とする。
【０００８】
【課題を解決するための手段】
上記目的を達成するために本発明の画像形成装置にあっては、
消耗品を用いて後処理を行う画像形成装置であって、
消耗品の残量を検知して、消耗品無しエラーを発生させる手段と、
消耗品無しエラー発生時に、ユーザーに消耗品の補給を促すメッセージを表示する手段と、
消耗品無しエラー発生時に、ジョブの残りの出力をキャンセルする手段と、
消耗品無しエラー発生時に、ジョブの残りの出力を消耗品無しで続行する手段と、
を有することを特徴とする。
【０００９】
ユーザーの消耗品無しエラーからの復帰を、ジョブの残りの出力をキャンセルするか、又はジョブの残りの出力を消耗品無しで続行するか選択可能とする手段を有することが好適である。
【００１０】
インサート機能付き画像形成装置であって、
インサート用紙の残量を検知して、インサート用紙無しエラーを発生させる手段と、
インサート用紙無しエラー発生時に、ユーザーにインサート用紙の補給を促すメッセージを表示する手段と、
インサート用紙無しエラー発生時に、ジョブの残りの出力をキャンセルする手段と、
インサート用紙無しエラー発生時に、ジョブの残りの出力をインサート用紙無しで続行する手段と、
を有することを特徴とする。
【００１１】
ユーザーのインサート用紙無しエラーからの復帰を、ジョブの残りの出力をキャンセルするか、又はジョブの残りの出力をインサート用紙無しで続行するか選択可能とする手段を有することが好適である。
【００１２】
インサート用紙無しエラー発生時に、ジョブの残りの出力をインサート用紙無しで続行する手段を選択した場合には、
インサート用紙に替えて別の給紙段から給紙した用紙に所定の印刷を行い、代替出力する手段を有することが好適である。
【００１３】
これにより、代替出力した場合の所定の印刷を行った用紙が本来はインサート用紙であることを明示的に示すことが可能になる。
【００１４】
インサート用紙無しエラー発生時に、ジョブの残りの出力をインサート用紙無しで続行する手段を選択した場合には、
インサート用紙に替えて別の給紙段から給紙した用紙を、オフセットシフトして代替出力する手段を有することが好適である。
【００１５】
これにより、代替出力した場合のオフセットシフトした用紙が本来インサート用紙であることを明示的に示しつつ、用紙をオフセットシフトするだけで用紙に印刷は行わないので印刷課金を回避することが可能になる。
【００１６】
インサート用紙無しエラー発生時に、ジョブの残りの出力をインサート用紙無しで続行する手段を選択した場合には、
ステープル指定を自動的にオフにする手段を有することが好適である。
【００１７】
これにより、代替出力した場合の用紙を出力後に手作業でインサート用紙への差し替えが可能になる。
【００１８】
綴じ機能付き画像形成装置であって、
ステープル針の残量を検知して、ステープル針無しエラーを発生させる手段と、
ステープル針無しエラー発生時に、ユーザーにステープル針の補給を促すメッセージを表示する手段と、
ステープル針無しエラー発生時に、ジョブの残りの出力をキャンセルする手段と、
ステープル針無しエラー発生時に、ジョブの残りの出力をステープル針無しで続行する手段と、
を有することを特徴とする。
【００１９】
ユーザーのステープル針無しエラーからの復帰を、ジョブの残りの出力をキャンセルするか、又はジョブの残りの出力をステープル針無しで続行するか選択可能とする手段を有することが好適である。
【００２０】
ステープル針無しエラー発生時に、ジョブの残りの出力をステープル針無しで続行する手段を選択した場合には、
ステープルしない紙面上に、ステープル位置マークを印刷する手段と、
ステープルされるべき束ごとに、排紙をオフセットシフトで行う手段と、
を有することが好適である。
【００２１】
これにより、出力後にユーザーが手作業でステープルされるべき束ごとのステープルを行うことが可能になる。
【００２２】
ステープル位置マークを印刷する場合には、
白紙出力されるはずであった紙面上に、ステープル位置マークを印刷するか印刷しないか選択可能とする手段を有することが好適である。
【００２３】
これにより、白紙出力されるはずであった紙面上にステープル位置マークを印刷しないことを選択すれば、白紙出力されるはずであった紙面上へのステープル位置マークを印刷することによる印刷課金を無くし、ユーザーが予期しない課金カウンタの加算を無くすことが可能になる。
【００２４】
本発明のプログラムにあっては、
消耗品を用いて後処理を行う画像形成装置のプログラムであって、
消耗品の残量を検知して、消耗品無しエラーを発生させる手段、
消耗品無しエラー発生時に、ユーザーに消耗品の補給を促すメッセージを表示する手段、
消耗品無しエラー発生時に、ジョブの残りの出力をキャンセルする手段、
消耗品無しエラー発生時に、ジョブの残りの出力を消耗品無しで続行する手段、
として機能させることを特徴とする。
【００２５】
ユーザーの消耗品無しエラーからの復帰を、ジョブの残りの出力をキャンセルするか、又はジョブの残りの出力を消耗品無しで続行するか選択可能とする手段として機能させることが好適である。
【００２６】
本発明のプログラムを記憶した記憶媒体にあっては、
消耗品を用いて後処理を行う画像形成装置のプログラムを記憶した記憶媒体であって、
消耗品の残量を検知して、消耗品無しエラーを発生させる手段、
消耗品無しエラー発生時に、ユーザーに消耗品の補給を促すメッセージを表示する手段、
消耗品無しエラー発生時に、ジョブの残りの出力をキャンセルする手段、
消耗品無しエラー発生時に、ジョブの残りの出力を消耗品無しで続行する手段、
として機能させることを特徴とする。
【００２７】
ユーザーの消耗品無しエラーからの復帰を、ジョブの残りの出力をキャンセルするか、又はジョブの残りの出力を消耗品無しで続行するか選択可能とする手段として機能させることが好適である。
【００２８】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２９】
（第１の実施の形態）
図１〜図４を参照して、第１の実施の形態に係るインサート機能や綴じ機能等の後処理付き画像形成装置について説明する。
【００３０】
第１の実施の形態に係るインサート機能や綴じ機能等の後処理付き画像形成装置としての画像入出力システム１００の全体構成を、図１を参照しながら説明する。
【００３１】
リーダー部（画像入力装置、リーダー装置）２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット２５０とで構成される。
【００３２】
プリンタ部（画像出力装置、プリンタ装置）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙を機外へ出力する機能を持つ排紙ユニット３３０、及び、インサート処理、ステープル処理、ソート処理を行うフィニッシャユニット５００とで構成される。
【００３３】
制御装置（コントローラ部）１１０は、リーダー部２００、プリンタ部３００と電気的に接続され、さらにＬＡＮ（ネットワーク）４００を介して、ＰＣ（ホストコンピュータ）４０１，４０２と接続されている。
【００３４】
制御装置１１０は、リーダー部２００を制御して、原稿の画像データを読込み、プリンタ部３００を制御して画像データを記録紙に出力してコピー機能を提供する。また、リーダー部２００から読み取った画像データを、コードデータに変換し、ＬＡＮ４００を介してホストコンピュータへ送信するスキャナ機能、ＰＣからＬＡＮ４００を介して受信したコードデータを画像データに変換し、プリンタ部３００に出力するプリンタ機能を提供する。
【００３５】
操作部１５０は、制御装置１１０に接続され、液晶タッチパネルで構成され、画像入出力システム１００を操作するためのユーザーＩ／Ｆを提供する。
【００３６】
図２はリーダー部２００及びプリンタ部３００から構成される画像形成装置の断面図である。リーダー部２００の原稿給紙ユニット２５０は原稿を先頭順に１枚ずつプラテンガラス２１１上へ給送し、原稿の読み取り動作終了後、プラテンガラス２１１上の原稿を排出トレイ２１９に排出するものである。
【００３７】
原稿がプラテンガラス２１１上に搬送されると、ランプ２１２を点灯し、そして光学ユニット２１３の移動を開始させて、原稿を露光走査する。この時の原稿からの反射光は、ミラー２１４，２１５，２１６、及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、所定の処理が施された後、制御装置１１０へ転送される。
【００３８】
プリンタ部３００のレーザドライバ３２１はレーザ発光部３２２を駆動するものであり、制御装置１１０から出力された画像データに応じたレーザ光をレーザ発光部３２２にて発光させる。このレーザ光は感光ドラム３２３に照射され、感光ドラム３２３にはレーザ光に応じた潜像が形成される。この感光ドラム３２３の潜像の部分には現像器３２４によって現像剤が付着される。
【００３９】
そして、レーザ光の照射開始と同期したタイミングで、カセット３１１、カセット３１２、カセット３１３、カセット３１４、手差し給紙段３１５のいずれかから記録紙を給紙し、搬送路３３１によって転写部３２５へ向かい、転写部３２５で感光ドラム３２３に付着された現像剤を記録紙に転写する。
【００４０】
現像剤の乗った記録紙は搬送ベルト３２６によって、定着部３２７に搬送され、定着部３２７の熱と圧力により現像剤は記録紙に定着される。
【００４１】
その後、定着部３２７を通過した記録紙は搬送路３３５、搬送路３３４を通り、排出される。あるいは、印刷面を反転して排出する場合には、搬送路３３６、搬送路３３８まで導かれ、そこから記録紙を逆方向に搬送し、搬送路３３７、搬送路３３４を通る。
【００４２】
また、両面記録が設定されている場合は、定着部３２７を通過したあと、搬送路３３６からフラッパ３２９によって、搬送路３３３に記録紙は導かれ、その後記録紙を逆方向に搬送し、フラッパ３２９によって、搬送路３３８、再給紙搬送路３３２へ導かれる。再給紙搬送路３３２へ導かれた記録紙は上述したタイミングで搬送路３３１を通り、転写部３２５へ給紙される。
【００４３】
搬送路３３４より排出された記録紙はフィニッシャユニット５００へ搬送される。
【００４４】
搬送された記録紙はまずバッファユニット５０１へ送られる。ここでは場合に応じて搬送されてきた記録紙をバッファローラに巻きつけてバッファリングする。例えばこの下流で行われるステープル等処理に時間がかかる場合は、このバッファユニットを利用することによってプリンタ部３００から搬送されてくる記録紙の搬送速度を一定に保つことができ、スループットの向上に役立たせることが可能である。
【００４５】
記録紙はこの後上流排出ローラ対５０２、下流排出ローラ対５０３で排出トレイ５０７ａに排出される。
【００４６】
ステイプルモードの場合は上流排出ローラ対５０２で搬送され記録紙後端がこれを抜けた直後、ローレットベルト５０４によって引き戻され、ステイプルトレイ５０５に排出される。
【００４７】
そして所定の枚数分記録紙が積載されたあと、ステープルユニット５０６によってステープル処理が行われた後に、下流排出ローラ対５０３により排出トレイ５０７ａに排出される。
【００４８】
なお排出トレイは５０７ａ，５０７ｂの２ビンを有し、これらは連動して不図示の駆動ユニットにより上下に移動させることが可能である。
【００４９】
図２においては排出トレイ５０７ａに記録紙が排出される位置にあるが、これを上方向に移動して排出トレイ５０７ｂに排出させることも可能である。
【００５０】
また、インサートユニット５１０が装着されている場合には、インサートユニット５１０から供給されるインサート用紙は、通常の記録紙とは異なりプリンタ部３００を通過することなく、給紙ローラ５１１，５１２を経由してフィニッシャユニット５００に直接排出することが可能になる。
【００５１】
続いて図３を用いて操作部１５０について説明する。
【００５２】
６００はＬＣＤタッチパネルであり、主なモード設定、状況表示はここで行われる。６０１は０〜９までの数値を入力するためのテンキーである。６０２はＩＤキーであり、装置が部門管理されている場合に部門番号と暗証モードを入力する際に使用されるものである。
【００５３】
６０３は設定されたモードをリセットするためのリセットキー、６０４は各モードについての説明画面を表示するためのガイドキー、６０５はユーザーモード画面に入るためのユーザーモードキー、６０６は割り込みコピーを行うための割り込みキーになっている。
【００５４】
６０７はコピー動作をスタートさせるためのスタートキー、６０８は実行中のコピージョブを中止させるためのストップキーである。
【００５５】
６０９はソフト電源ＳＷであり、押下することによりＬＣＤ６００のバックライトが消え装置は低電力状態に落ちる。６１０は節電キーであり、これを押下することで節電状態に入り、再度押下することで節電状態から復帰する。
【００５６】
６１１，６１２，６１３はコピー、ボックス、拡張機能に移行させるためのファンクションキーである。図３ではコピーの標準画面が表示された状態であり、他のファンクションキー６１２，６１３を押下することでそれぞれの機能の標準画面が表示される。
【００５７】
６１４はＬＣＤタッチパネルのコントラストを調整するための調整キーである。
【００５８】
６１５はカウンタ確認キーであり、このキーを押下することでそれまでに仕様したコピー枚数の集計を表示するカウント画面がＬＣＤ６００上に表示される。
【００５９】
６１６はジョブの実行中、画像メモリへの画像蓄積中を示すＬＥＤ、６１７がジャム、ドアオープン等装置がエラー状態にあることを示すエラーＬＥＤ、６１８は装置のメインスイッチがＯＮになっていることを示す電源ＬＥＤになっている。
【００６０】
図４は、インサート処理を伴う複数部ジョブが投入された場合、一つの束を出力するまでの処理の流れを示すフローチャートである。ここで束とは、ソートやステープルによってまとめられる複数の記録紙の単位、およびそれに相当する複数ページ分の出力データの単位を指す。インサート処理を伴うジョブは、束の最初にインサート用紙（高級紙や特殊印刷等を用いた高価な紙）をインサートユニット５１０から挿入するようなジョブとして定義されているものとする。
【００６１】
ステップＳ４０１において、インサートユニット５１０にインサート用紙が供給されておらずインサート用紙無しエラーが発生しているかの確認を行う。
【００６２】
インサート用紙がある場合には、ステップＳ４０２においてインサート用紙を一枚給紙し、ステープルユニット５０６に蓄積する。その後、ステップＳ４１１、Ｓ４１２、Ｓ４１３の処理ループにおいてマーキングユニット３２０での印刷を伴うページの出力を行う。
【００６３】
ステップＳ４１１では出力すべき１ページ分の画像データを、制御装置１１０内のメモリ上に生成する。ステップＳ４１２にてその画像データはマーキングユニット３２０に転送され記録紙上に印刷出力される。ステップＳ４１３では、束の全ページ出力が完了しているかの判断を行い、残りのページがある場合はＳ４１１に戻り、束のうち未出力のページの処理を続ける。残りのページが無く、束のすべての印刷出力が完了している場合には、ステップＳ４１４にて、ステープルユニット５０６を用いて束をステープルし、排出トレイ５０７ａ，５０７ｂに排出を行う。
【００６４】
ステップＳ４０１にて、インサート用紙無しエラーが検知された場合には、ステップＳ４０３にて、ＬＣＤ６００に「インサート用紙がありません。インサート用紙を補給してください。」というメッセージを表示する。
【００６５】
そして、ステップＳ４０４においては、処理中のジョブに対するキャンセルを行うかを選択判断する。もしキャンセルがＬＣＤ６００からの操作で指示されていれば、Ｓ４０５にてジョブキャンセルが行われ、ジョブの残りをクリアし出力は中断される。
【００６６】
キャンセルでない場合はステップＳ４０６において「インサート用紙無しで出力続行」が選択設定されたかの判断を行う。この設定は、「インサート用紙がありません。インサート用紙を補給してください。」というエラーメッセージと同時にＬＣＤ６００上に「インサート用紙無しで出力続行」いうボタンが表示され、タッチパネルを用いて指定を行う。
【００６７】
「インサート用紙無しで出力続行」が指定されていない場合は、ステップＳ４０１に戻る処理ループの中で、インサート用紙の補給が完了するのを待つ。
【００６８】
「インサート用紙無しで出力続行」が指定された場合には、インサート用紙無しのまま出力続行をするために、ＬＣＤ６００上に「代替用紙に印刷」と「白紙をオフセットシフト」の選択肢が表示される。ステップＳ４０７にて「代替用紙に印刷」と「白紙をオフセットシフト」のどちらが選択されているかを判断する。この設定は、「インサート用紙無しで出力続行」の指定に引き続いて、ＬＣＤ６００上のタッチパネルから設定を行う。
【００６９】
「代替用紙に印刷」が指定された場合は、ステップＳ４０８にて代替ページに印刷される画像データが、制御装置１１０内のメモリ上に生成され、ステップＳ４０９にてマーキングユニット３２０に転送され通常の給紙トレイより給紙された記録紙上に印刷出力される。ここで印刷される画像データには、「このページには本来インサート用紙が挿入されますが、インサート用紙無しのため、代替用紙が挿入されています。」といったようなメッセージを含み、ユーザーに代替用紙であることを明示する。その後、ステップＳ４１５、Ｓ４１６、Ｓ４１７の処理ループにおいてマーキングユニット３２０での印刷を伴うページの出力を行う。
【００７０】
ステップＳ４０７にて「白紙をオフセットシフト」が指定された場合は、ステップＳ４１０にて通常の給紙トレイより給紙された一枚の記録紙になにも印刷すること無く、フィニッシャユニット５００の排出トレイ５０７ａ，５０７ｂにオフセットシフトで白紙だけをずらして排紙を行う。この際、なにも印刷を行わないことから制御装置１１０内の課金カウンタは加算されない。その後、ステップＳ４１５、Ｓ４１６、Ｓ４１７の処理ループにおいてマーキングユニット３２０での印刷を伴うページの出力を行う。
【００７１】
ステップＳ４１７にて残りのページが無く、束のすべての印刷出力が完了している場合には束ごとにステープルを行うことなく処理を終了する。
【００７２】
このように、本実施の形態では、インサートユニット５１０からインサート用紙を供給してインサート処理を行う最中にインサート用紙が不足した場合に、補給用のインサート用紙の在庫が無い等の理由でインサート用紙の補給ができない場合でも、未出力分は代替用紙を用いて続行することが可能となる。
【００７３】
また、代替用紙を使用した場合には、手作業でインサート用紙に差し替え可能な状態で出力される。
【００７４】
（第２の実施の形態）
図５〜図７には、第２の実施の形態が示されている。上記第１の実施の形態では、インサート処理を行う場合であったが、本実施の形態では、後処理としてステープル針を用いたステープル処理（綴じ処理）を行う場合である。
【００７５】
その他の構成および作用については第１の実施の形態と同一なので、同一の構成部分については同一の符号を付して、その説明は省略する。
【００７６】
図５は、ステープルソートを伴うジョブが投入された場合、一つの束を出力するまでの処理の流れを示すフローチャートである。ここで束とは、ソートやステープルによってまとめられる複数の記録紙の単位、およびそれに相当する複数ページ分の出力データの単位を指す。
【００７７】
ステップＳ５０１において、ステープルユニット５０６にステープル針が供給されておらずステープル針無しエラーが発生しているかの確認を行う。
【００７８】
ステープル針がある場合には、ステップＳ５０２において制御装置１１０内のメモリ上に１ページ分の画像が生成され、ステップＳ５０３にてその画像データはマーキングユニット３２０に転送され記録紙上に印刷出力される。
【００７９】
ステップＳ５０４では、束の全ページ出力が完了しているかの判断を行い、残りのページがある場合はＳ５０２に戻り、束の内未出力のページの処理を続ける。残りのページが無く、束のすべての印刷出力が完了している場合には、ステップＳ５０５にて、ステープルユニット５０６を用いて束をステープルし、排出トレイ５０７ａ，５０７ｂに排出を行う。
【００８０】
ステップＳ５０１にて、ステープル針無しが検知された場合には、ステップＳ５０７にて、ＬＣＤ６００に「ステープル針がありません。ステープル針を補給して下さい。」というメッセージを表示する。
【００８１】
そして、ステップＳ５０８においては、処理中のジョブに対するキャンセルを行うかを選択判断する。もしキャンセルがＬＣＤ６００からの操作で指示されていれば、Ｓ５０９にてジョブキャンセルが行われ、ジョブの残りをクリアし出力は中断される。
【００８２】
キャンセルでない場合はステップＳ５１０において「ステープル針無しで出力続行」が選択設定されたかの判断を行う。この設定は、「ステープル針がありません。」というエラーメッセージと同時にＬＣＤ６００上に「ステープル針無しで出力続行」のＵＩが表示され、タッチパネルを用いて指定をおこなう。
【００８３】
「ステープル針無しで出力続行」が指定されていない場合は、ステップＳ５０１に戻る処理ループの中で、ステープル針の補給が完了するのを待つ。
【００８４】
「ステープル針無しで出力続行」が指定された場合には、ステップＳ５１１にて制御装置１１０内のメモリ上に１ページ分の画像が生成される。
【００８５】
次にステップＳ５１２では、生成された画像が白紙ページか否かの判定を行う。もし白紙だったら、ステップＳ５１５にてマーキングユニット３２０での印刷処理が行われるが、当然何も印刷されない。この際、制御装置１１０内の課金カウンタは加算されない。
【００８６】
ステップＳ５１２にて白紙ではないと判断された場合は、ステップＳ５１３にて、図６に示すようなステープル位置マーク７００を印刷するためのオーバーレイ画像を生成する。その後、ステップＳ５１４にて、Ｓ５１１とＳ５１３とで生成された画像が合成され、ステップＳ５１５にてマーキングユニット３２０での印刷処理が行われる。
【００８７】
ステップＳ５１６では、束の全ページの出力が完了しているかの判断を行い、残りのページがある場合はＳ５１１に戻り、束の内未出力のページの処理を続ける。
【００８８】
ステップＳ５１６にて残りのページが無く、束のすべての印刷出力が完了している場合には、ステップＳ４１７にて排出トレイ５０７ａ，５０７ｂ上でのオフセットシフトをフィニッシャユニット５００にて行う。
【００８９】
なお、第２の実施の形態においては、ステープル針無し状態での出力を続行する際に、白紙面にもステープル位置マークを印刷することを選択するＵＩ画面を表示するように設けても良い。
【００９０】
この場合には、図７のフローチャートに示される処理が行われる。なお、図７のフローチャートについては図５のフローチャートと異なる点のみ説明する。ステップＳ５１９では、「白紙面にもステープル位置マークを印刷する」が選択設定されているかの判断を行う。この設定は、「ステープル針無しで出力続行」をＵＩの画面で選択した後にＬＣＤ６００上にＵＩが表示され、タッチパネルを用いて指定を行う。
【００９１】
「白紙面にもステープル位置マークを印刷する」が指定されている場合は、ステップＳ５１２の白紙判断は行わずに、ステップＳ５１３のオーバーレイ画像生成が行われる。
【００９２】
この例において、白紙面にもステープル位置マークを印刷した場合には、白紙面にも明示的なステープル表示が行われる代わりに、課金カウンタも動作することになる。
【００９３】
このように、本実施の形態では、ステープルユニット５０６でステープル針を用いてステープル処理を行う最中にステープル針が不足した場合に、補給用のステープル針の在庫が無い等の理由でステープル針の補給ができない場合でも、未出力分はステープル処理無しで続行することが可能となる。
【００９４】
（本発明の他の実施の形態）
本発明は複数の機器（例えば、ホストコンピユータ、インタフェース機器、リーダー、プリンタ、フィニッシャ、外部記憶装置）から構成されるシステムに適用しても１つの機器からなる装置に適用しても良い。
【００９５】
また、上述した実施の形態の機能を実現するように各種のデバイスを動作させるように、上記各種デバイスと接続された装置あるいはシステム内のコンピユータに対し、上記実施の形態の機能を実現するためのソフトウエアのプログラムコードを供給し、そのシステムあるいは装置のコンピユータ（ＣＰＵあるいはＭＰＵ）に格納されたプログラムに従って上記各種デバイスを動作させることによって実施したものも、本発明の範晴に含まれる。
【００９６】
また、この場合、上記ソフトウエアのプログラムコード自体が上述した実施の形態の機能を実現することになり、そのプログラムコード自体、及びそのプログラムコードをコンピユータに供給するための手段、例えばかかるプログラムコードを格納した記憶媒体は本発明を構成する。かかるプログラムコードを記憶する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００９７】
また、コンピユータが供給されたプログラムコードを実行することにより、上述の実施の形態で説明した機能が実現されるだけでなく、そのプログラムコードがコンピユータにおいて稼働しているＯＳ（オペレーティングシステム）あるいは他のアプリケーションソフト等の共同して上述の実施の形態で示した機能が実現される場合にもかかるプログラムコードは本発明の実施の形態に含まれることは言うまでもない。
【００９８】
さらに、供給されたプログラムコードがコンピユータの機能拡張ボードやコンピユータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【００９９】
【発明の効果】
以上説明したように、本発明は、後処理を行うコピー・プリントジョブを出力している最中に後処理用の消耗品が不足した場合に、補給用の消耗品の在庫がない等の理由で消耗品の補給ができない場合でも、未出力分を消耗品無しで続行することが可能になる。
【図面の簡単な説明】
【図１】第１の実施の形態に係るインサート機能及び綴じ機能付き画像形成装置の構成の一例を示すブロック図である。
【図２】第１の実施の形態に係る画像形成装置の機構の一例を示す図である。
【図３】第１の実施の形態に係る画像形成装置の操作部の一例を示す図である。
【図４】第１の実施の形態に係る処理手順の一例を示すフローチヤートである。
【図５】第２の実施の形態に係る処理手順の一例を示すフローチヤートである。
【図６】第２の実施の形態に係る出力された記録紙を示す図である。
【図７】第２の実施の形態に係る他の例の処理手順の一例を示すフローチヤートである。
【符号の説明】
１００  画像入出力システム
１１０  制御装置（コントローラ部）
１５０  操作部
２００  リーダー部（リーダー装置）
２１０  スキャナユニット
２１１  プラテンガラス
２１２  ランプ
２１３  光学ユニット
２１４，２１５，２１６  ミラー
２１７  レンズ
２１９  排出トレイ
２５０  原稿給紙ユニット（ＤＦユニット）
３００  プリンタ部（プリンタ装置）
３１０  給紙ユニット
３２０  マーキングユニット
３２１  レーザドライバ
３２２  レーザ発光部
３２３  感光ドラム
３２４  現像器
３２５  転写部
３２６  搬送ベルト
３２７  定着部
３３０  排紙ユニット
４００  ＬＡＮ（ネットワーク）
４０１，４０２  ＰＣ（ホストコンピュータ）
５００  フィニッシャユニット
５０１  バッファユニット
５０２  上流排出ローラ対
５０２  後上流排出ローラ対
５０３  下流排出ローラ対
５０４  ローレットベルト
５０５  ステイプルトレイ
５０６  ステープルユニット
５０７ａ，５０７ｂ  排出トレイ
５１０  インサートユニット
５１１，５１２  給紙ローラ
７００  ステープル位置マーク
【図１】
2005059983.tif 000003
【図２】
2005059983.tif 000004
【図３】
2005059983.tif 000005
【図４】
2005059983.tif 000006
【図５】
2005059983.tif 000007
【図６】
2005059983.tif 000008
【図７】
2005059983.tif 000009